【手続補正書】
【提出日】平成26年11月27日(2014.11.27)
【手続補正１】
【補正対象書類名】特許請求の範囲
【補正対象項目名】全文
【補正方法】変更
【補正の内容】
【特許請求の範囲】
【請求項１】
給排熱交換およびそれと一体化された二酸化窒素の吸収を実現する、硝酸の生成に使用するための装置であって、中に形成された流体流の流路系統を有する第１および第２の接合された耐食金属プレート群を含んだコア構造体を備え、前記コア構造体が、熱交換関係に並置された前記第１および第２のプレート群の第１の流路系統を含んだ給排熱交換システムと、熱交換関係に並置された前記第１および第２のプレート群の第２の流路系統を含んだ吸収システムとを備える、装置。
【請求項２】
ａ）前記第１のプレート群が複数の第１の前記プレートを備え、前記第２のプレート群が複数の第２の前記プレートを備え、
ｂ）前記第１のプレートと前記第２のプレートが対面関係で接合され、前記第２のプレートが前記第１のプレートと交互配置されており、
ｃ）各前記第１のプレートに、別々の前記第１の流路系統と前記第２の流路系統が形成され、
ｄ）各前記第２のプレートに、直列に流体連通接続された前記第１の流路系統と前記第２の流路系統が形成され、
ｅ）前記第２のプレートの前記第１および第２の流路系統が、前記第１のプレートの前記第１および第２の流路系統とそれぞれ熱交換関係に並置される、請求項１に記載の熱交換装置。
【請求項３】
各前記第１のプレートの前記第１の流路系統が、アンモニア、水（液体または気体の形）および酸化ガスの供給源に接続され、蒸気バラスト化アンモニア−酸素供給流を酸化装置システムに送るように配置され、各前記第１のプレートの前記第２の流路系統が、冷媒流体供給と直列に接続されるように配置され、
各前記第２のプレートの前記第１の流路系統が、高温の窒素系ガスの供給源に接続されそのガスを運ぶように配置され、各前記第２のプレートの前記第２の流路系統が、前記第２のプレートの前記第１および第２の流路系統を介した輸送中に前記窒素系ガスの漸進的な酸化と凝縮水吸収が行われる場合、硝酸を送るように配置される、請求項１または２に記載の熱交換装置。
【請求項４】
各前記第１のプレートの前記第１の流路系統が、複数の横方向に隔置された長手方向に延びる流路で構成され、各前記流路が、その長手方向の長さの大部分に沿ってジグザグの経路をたどるようにエッチングされる、請求項１〜３のいずれか一項に記載の熱交換装置。
【請求項５】
各前記第１のプレートの前記第２の流路系統が、複数の横方向に隔置された長手方向に延びる流路で構成され、各前記流路が、その長手方向の長さの全体に沿ってジグザグの経路をたどるようにエッチングされ、各前記流路が全て、長手方向に隔置された冷媒流体供給通路と接続し、
各前記第２のプレートの前記第２の流路系統が、その長さ全体にわたって方向が水平垂直互い違いになっている複数の流路部分で構成され、前記第２の流路系統内部における流路部分の総数は、各前記第２のプレートにある前記第１の流路系統内部における流路部分の総数と略同じであり、各前記第２のプレートにある前記第２の流路系統の前記流路部分の全てが、前記第２のプレートにある前記第１の流路部分より長い有効全長を有し、その結果、前記第２の流路系統が占める面積が、前記第１の流路系統が占める面積より大きいものになっている、請求項４に記載の熱交換装置。
【請求項６】
各前記第２のプレートの前記第１の流路系統が、複数の横方向に隔置された長手方向に延びる流路部分で構成され、前記長手方向に延びる流路部分が、その各端部に位置しそれに隣接する直交流の流路部分を有し、各流路部分が、前記集約された長手方向部分および直交流部分全体にわたるそれ以外の各流路部分と同様の有効長さを有し、
各前記第２のプレートが、前記第１のプレートにある前記第１の流路系統の一方の端に、そこから隔置されて形成され、ヘッダを経由して前記第１のプレートの前記第１の流路系統と流体連通接続される複数次分配系統のうちの１次目と接続する横方向に延びる流路を備える、請求項５に記載の熱交換装置。
【請求項７】
前記第１のプレートにある前記第１の流路系統が、前記第２のプレートにある前記第１の流路系統と略同じ表面積を占め、前記第１のプレートにある前記第２の流路系統が、前記第２のプレートにある前記第２の流路系統と略同じ表面積を占める、請求項１〜６のいずれか一項に記載の熱交換装置。
【請求項８】
スロットが、各前記第１および第２のプレートに位置し、前記第１および第２のプレートの前記第１の流路系統の部分と前記第２の流路系統の部分の間に、短絡した伝導熱の伝達を抑制するように配置される、請求項１〜７のいずれか一項に記載の熱交換装置。
【請求項９】
複数の第１および第２の耐食金属プレートを含んだコア構造体を備える、硝酸生成に使用するための装置であって、前記第１のプレートと前記第２のプレートが対面関係で接合され、前記第２のプレートが前記第１のプレートと交互配置されており、各前記第１のプレートに、別々の第１および第２の流路系統が形成され、前記第１のプレートの前記第１の流路系統が、アンモニア水および酸化ガスを受け、蒸気バラスト化アンモニア−酸素供給流を送るように配置され、前記第１のプレートの前記第２の流路系統が、冷媒流体供給と直列接続されるように配置されており、各前記第２のプレートに、前記第１のプレートの前記第１および第２の流路系統とそれぞれ熱交換関係に並置される別々の第１および第２の流路系統が形成され、各前記第２のプレートの前記第１の流路系統と前記第２の流路系統が直列に流体連通接続され、前記第２のプレートの前記第１の流路系統が、高温の窒素系ガスを受けるように配置されており、前記第２の流路系統が、第２のプレートの第１および第２の流路系統を介した輸送中の窒素系ガスの漸進的な酸化と凝縮水吸収に応じて、硝酸を送るように配置される、装置。
【請求項１０】
酸化ガス、アンモニアおよび水の供給に接続でき、酸化システムと回路内で接続できる請求項９に記載の装置であって、前記酸化システムにおいて、前記コア構造体からの前記蒸気バラスト化アンモニア−酸素供給流が、前記コア構造体へ戻すための窒素系ガスへ高温触媒転換される、装置。
【請求項１１】
交互配置された第１および第２の、対面関係で接合された金属プレート群を含んだコア構造体において、各前記第１のプレートに別々の第１および第２の流路系統が形成され、各前記第２のプレートに、前記第１のプレートの前記第１および第２の流路系統とそれぞれ熱交換関係に並置される別々の第１および第２の流路系統が形成され、各前記第２のプレートの前記第１の流路系統と前記第２の流路系統が直列に流体連通接続される、コア構造体と、
アンモニア、水、および酸化ガスを前記第１のプレート群の前記第１の流路系統の入口へ導き入れるためのヘッダ・システムと、
前記第１のプレート群の前記第２の流路系統へ冷媒を導き入れるための入口と、
前記第１のプレート群の前記第２の流路系統から冷媒を取り除くための出口と、を備える、硝酸生成に使用するための装置であって、
前記第２のプレート群の前記第１の流路系統で受けた高温の窒素系ガス供給流によって、前記第１のプレート群の前記第１の流路系統内の反対方向に流れるアンモニア水−酸化ガス供給流を加熱して、蒸気バラスト化アンモニア供給流を形成しながら、同時に前記窒素系ガス供給流の温度をその露点より低い温度まで下げるように、前記第１のプレート群の前記第１の流路系統と前記第２のプレート群の前記第１の流路系統が対向流の関係で動作的に構成され、
前記第２のプレート群における前記第１および第２の流路系統の有効長さは、前記窒素系ガス供給流内の窒素系ガスを二酸化窒素へ酸化し、前記窒素系ガス供給流からの凝縮水によるその二酸化窒素の吸収で硝酸の形成を可能にするのに十分なものになっている、装置。
【請求項１２】
前記コア構造体が、前記第１および第２の金属プレート群の前記第１の流路系統と第２の流路系統との略間に延びるスロットを備え、
前記第２のプレート群の前記第２の流路系統の有効長さが、前記第２のプレート群の前記第１の流路系統のものより長い、請求項１１に記載の硝酸生成に使用するための装置。
【請求項１３】
前記第２のプレート群にある前記第１および第２の流路系統の有効長さが、酸化プロセスが略完了に達するのに十分なものになっており、且つ、濃度２０％〜４０％（ｗ／ｗ）を有する希硝酸を形成するのに十分なものになっている、請求項１１に記載の硝酸生成に使用するための装置。